(57)【要約】【課題】  廃ウエスや廃プラスチックなどの廃材を効率よく再生することができるリサイクルシステムを提供しようとするもの。【解決手段】  溶剤を含む廃液を再生処理した再生溶剤により廃材を洗浄するようにした。この廃材のリサイクルシステムは、溶剤を含む廃液を再生処理した再生溶剤を利用することにより安価なコストで廃材を洗浄して再生することができる。前記廃材は再生溶剤により複数回洗浄すると共に、新しい再生溶剤は後洗浄用に用い、既に洗浄に用いて汚れを含む再生溶剤は初期洗浄に用いるようにしてもよい。【選択図】  図１
2005095821.tif 000002
【特許請求の範囲】
【請求項１】
溶剤を含む廃液を再生処理した再生溶剤により廃材を洗浄するようにしたことを特徴とする廃材のリサイクルシステム。
【請求項２】
前記廃材は再生溶剤により複数回洗浄すると共に、新しい再生溶剤は後洗浄用に用い、既に洗浄に用いて汚れを含む再生溶剤は初期洗浄に用いるようにした請求項１記載の廃材のリサイクルシステム。
【発明の詳細な説明】
【技術分野】
【０００１】
この発明は、廃ウエスや廃プラスチックなどの廃材のリサイクルシステムに関するものである。
【背景技術】
【０００２】
従来より、例えば印刷業界や塗装業界では、製造等に伴い塗料や印刷インキが付着した廃ウエスや廃プラスチックなどの廃材が出る。このような産業廃棄物は焼却処理（例えば、非特許文献１参照）したり埋立て処理したりしていた。
【０００３】
ところが、昨今の大量生産、大量消費、使い捨ての時代に発生し続ける廃棄物による環境問題が深刻となっており、リサイクルの推進が必要となり一連の関係法が制定された。
【０００４】
すなわち廃棄物処理法が改正され、再生資源利用促進法(いわゆるリサイクル法)の改正法が制定され、建設リサイクル法、容器包装リサイクル法、食品リサイクル法、家電リサイクル法など環境保全を踏まえた活動が強く求められている。
【非特許文献１】イー・ピー・シー株式会社  ホームページ、“廃棄物処理システム  焼却プラント”、[online]、 [2003/9/23検索]、インターネット＜ＵＲＬ：http://www.bell.ne.jp/epc/nv.htm＞
【発明の開示】
【発明が解決しようとする課題】
【０００５】
そこでこの発明は、廃ウエスや廃プラスチックなどの廃材を効率よく再生することができるリサイクルシステムを提供しようとするものである。
【課題を解決するための手段】
【０００６】
前記課題を解決するためこの発明では次のような技術的手段を講じている。
(１)この発明の廃材のリサイクルシステムは、溶剤を含む廃液を再生処理した再生溶剤により廃材を洗浄するようにしたことを特徴とする。
【０００７】
この廃材のリサイクルシステムは、溶剤を含む廃液を再生処理した再生溶剤を利用することにより安価なコストで廃材を洗浄して再生することができる。
【０００８】
ここで前記溶剤を含む廃液は、例えば蒸留処理を行うことにより再生溶剤に再生することができる。また前記溶剤を含む廃液として、例えば塗料の廃希釈液(シンナー)や印刷用の廃希釈液(レジューサー) 、廃塗料、廃インキなどを挙げることができる。さらに前記廃材として、例えば(グラビア)印刷業界や塗装業界の廃ウエスや廃プラスチック、印刷フィルム屑などを挙げることができる。
【０００９】
そして、廃ウエスを洗浄して再生ウエスを製造したり、印刷フィルム屑などを洗浄して再生樹脂を製造したりすることができる。再生ウエスは溶剤洗浄して乾燥し、その後必要に応じて水洗浄を行うことができる。
【００１０】
このように廃液や廃材などの廃棄物を、再資源化したり原料化したりすることができ、再廃棄物をできるだけ出さないようにすることにより環境保全に大きく貢献することができる。また焼却処理をしないのでＣＯ2の発生の大幅な削減を図ることができ焼却時のダイオキシンの発生の恐れをなくし、さらに埋立廃棄物を減少させることができる。
【００１１】
(２) 前記廃材は再生溶剤により複数回洗浄すると共に、新しい再生溶剤は後洗浄用に用い、既に洗浄に用いて汚れを含む再生溶剤は初期洗浄に用いるようにしてもよい。
【００１２】
このように構成すると、廃材の汚染度が高い初期洗浄には汚れを含む再生溶剤を用い、仕上げに近い段階の洗浄ほどよりクリーンな再生溶剤を用いることができ、再生溶剤を効率的に使用することができる。
【発明の効果】
【００１３】
この発明は上述のような構成であり、次の効果を有する。
【００１４】
溶剤を含む廃液を再生処理した再生溶剤を利用することにより安価なコストで廃材を洗浄して再生することができるので、廃ウエスや廃プラスチックなどの廃材を効率よく再生することができるリサイクルシステムを提供することができる。
【発明を実施するための最良の形態】
【００１５】
以下、この発明の実施の形態を図面を参照して説明する。
【００１６】
図１及び図２に示すように、この実施形態の廃材のリサイクルシステムは、溶剤を含む廃液について蒸留処理を行うことにより再生処理した再生溶剤により廃材を洗浄するようにしている。
【００１７】
前記廃材として、グラビア印刷業界や塗装業界の廃ウエスや廃プラスチック、印刷フィルム屑などを挙げることができる。また前記溶剤を含む廃液として、塗料の廃希釈液(シンナー)や印刷用の廃希釈液(レジューサー) 、廃塗料、廃インキなどを挙げることができる。
【００１８】
具体的には図１に示すように、(1)グラビアインキ廃液を印刷業界から収集運搬し、分別検査し、蒸留して再生溶剤を回収し、またその残渣物を再蒸留して再生溶剤を回収する。最終の残渣物にはボール紙屑を混練して超高温溶融還元ガス化高炉で焼却し、スラグからは路盤材を再生し、金属(メタル)類から金属スクラップを得る。また超高温溶融還元ガス化高炉から燃料ガスを得てガス発電に利用し、その廃熱を蒸留のための水蒸気ボイラーに利用している。
【００１９】
(2)廃ウエスは印刷業界や塗装業界から収集運搬して分別検査し、前記再生溶剤で洗浄し乾燥して水洗浄して乾燥し再生ウエスを得る。溶剤洗浄時の廃液は前記(1)グラビアインキ廃液と一緒に蒸留して再利用する。
【００２０】
(3)グラビア印刷フィルム屑は印刷業界から収集運搬して分別検査し、前記再生溶剤で洗浄し乾燥する。そして切断後再び溶剤洗浄し乾燥して粉末化し、再生ポリオレフィン樹脂を得る。溶剤洗浄時のそれぞれの廃液は前記 (1)グラビアインキ廃液と一緒に蒸留して再利用する。
【００２１】
前記廃材は再生溶剤により複数回洗浄すると共に、新しい再生溶剤は後洗浄用に用い、既に洗浄に用いて汚れを含む再生溶剤は初期洗浄に用いるようにしている。
【００２２】
具体的には図２に示すように、綿廃ウエスを溶剤洗浄槽(1)、溶剤洗浄槽(2)、溶剤洗浄槽(3)で再生シンナー(蒸留再生洗浄用溶剤)により順に洗浄して乾燥機で乾燥する。再生シンナー(蒸留再生洗浄用溶剤)は先ず最後の溶剤洗浄槽(3)に供給し、その洗浄槽廃液(3)をその前の溶剤洗浄槽(2) に供給し、その洗浄槽廃液(2)を最初の溶剤洗浄槽(1) に供給し、その洗浄槽廃液(1)は蒸留再生して再生シンナーとしている。なお、蒸留再生した蒸留残渣は、乾燥固化し粉末化して建築外装材や燃料として利用することができる。再生シンナーで３回洗浄して乾燥した後、洗濯機で水洗浄を２回繰り返し、乾燥して仕上がり再生ウエスを得る。この洗浄水はそれぞれ廃水処理システムとの間で循環するようにしている。
【００２３】
次に、この実施形態の廃材のリサイクルシステムの使用状態を説明する。
【００２４】
この廃材のリサイクルシステムは、溶剤を含む廃液を再生処理した再生溶剤を利用することにより安価なコストで廃材を洗浄して再生することができるので(再生商品は産業廃棄物が原料であるので原料原価が０である)、廃ウエスや廃プラスチックなどの廃材を効率よく再生することができるという利点がある。
【００２５】
すなわち、廃ウエスを洗浄して再生ウエスを製造したり、印刷フィルム屑などを洗浄して再生樹脂を製造したりすることができる。再生ウエスは溶剤洗浄して乾燥し、その後必要に応じて水洗浄を行うことができる。このように廃液や廃材などの廃棄物を、再資源化したり原料化したりすることができ、再廃棄物をできるだけ出さないようにすることにより環境保全に大きく貢献することができる。
【００２６】
また、前記廃材は再生溶剤により複数回洗浄すると共に、新しい再生溶剤は後洗浄用に用い、既に洗浄に用いて汚れを含む再生溶剤は初期洗浄に用いるようにしており、廃材の汚染度が高い初期洗浄には汚れを含む再生溶剤を用い、仕上げに近い段階の洗浄ほどよりクリーンな再生溶剤を用いることができ、再生溶剤を効率的に使用することができるという利点がある。
【産業上の利用可能性】
【００２７】
塗料の希釈液や印刷用の希釈液などを消費する印刷業界や塗装業界などで排出される廃液(塗料や印刷インキが含まれる)や廃材(ウエスやフィルムに塗料や印刷インキが付着している)を回収し収集運搬して再生する。すなわち、各種業界から回収された廃溶剤等を再生して廃材を再生し、前記業界などとの間で循環して利用する用途その他の用途に適用することができる。
【図面の簡単な説明】
【００２８】
【図１】この発明の廃材のリサイクルシステムの実施形態を説明する全体的な工程図。
【図２】この発明の廃材のリサイクルシステムの実施形態で綿廃ウエスの再生を説明する工程図。
【図１】
2005095821.tif 000003
【図２】
2005095821.tif 000004